(57)【要約】【課題】  本発明は、電線保持機能を備えた電線切断装置を提供することにある。【解決手段】  本発明に係る電線切断装置１は、先端が二股に分割された主操作棒２と、主操作棒２に対応して先端が二股に分割され、主操作棒の基端近傍で操作可能な副操作棒３と、主操作棒２の二股に分割された先端にそれぞれ設けられ、切断が所望される電線４の一方の側から電線４を固定する固定押さえ部２５と、副操作棒３の二股に分割された先端にそれぞれ設けられ、切断が所望される電線４の他方の側から電線４を固定する移動押さえ部３５と、より構成される電線グリップ部７と、主操作棒２に回転自在に接続され、電線グリップ部７の間に延出する油圧カッター８と、主操作棒２の基端近傍に設けられる油圧カッター８を操作する油圧カッター駆動スイッチ９とを有して構成されている。【選択図】  図１
2017028925.tif 000002
【特許請求の範囲】
【請求項１】
先端が二股に分割された主操作棒と、
該主操作棒に対応して先端が二股に分割され、主操作棒の基端近傍で操作可能な副操作棒と、
前記主操作棒の二股に分割された先端にそれぞれ設けられ、切断が所望される電線の一方の側から電線を固定する固定押さえ部と、前記副操作棒の二股に分割された先端にそれぞれ設けられ、切断が所望される電線の他方の側から電線を固定する移動押さえ部と、より構成される電線グリップ部と、
前記主操作棒に回転自在に接続され、前記電線グリップ部の間に延出する油圧カッターと、
前記主操作棒の基端近傍に設けられる前記油圧カッターを操作する油圧カッター駆動スイッチとを具備することを特徴とする電線切断装置。
【請求項２】
前記固定押さえ部は、二股に分かれて間に間隙が形成され、
前記移動押さえ部は、一本形状に形成され、前記固定押さえ部の間隙に挿通可能に形成されていることを特徴とする請求項１に記載の電線切断装置。
【請求項３】
前記油圧カッターは、前記主操作棒に回転自在に接続されていることを特徴とする請求項１又は２に記載の電線切断装置。
【請求項４】
前記油圧カッターは、菊座アダプターを介して前記主操作棒に回転自在に取付られることを特徴とする請求項３記載の電線切断装置。
【発明の詳細な説明】
【技術分野】
【０００１】
本発明は、間接活線作業において電線を切断するときに電線の保持と電線の切断とを１つの工具で行うことが可能な電線切断装置に関する。
【背景技術】
【０００２】
特許文献１（特開平８−１６３７２８号公報）は、絶縁操作棒、マニピュレータ車両のアーム先端に取り付けて、手元側で切断位置合わせ及び切断操作する間接活線作業用の電線切断工具を提供するものである。この切断工具は、操作棒と、この操作棒に連動して回転する送りネジと、送りネジに螺合し、前記送りネジに沿って前後に移動する移動ナットと、この移動ナットにリンクを介して連結され、前記移動ナットの移動により支点ボルトを中心に開閉し、刃先がアール形状に成形された切断刃とにより電線を切断する切断機構を有し、前記切断刃を支持するとともに前記送りネジと同一軸芯上で回転する調整ガイドと、この調整ガイドを任意の回転角に固定するノブとにより切断面を電線と直角に調整する切断刃角度調整機構を備えているものである。
【０００３】
特許文献２（特開２００３−２２４９１０号公報）は、高圧架空配電線の分岐線端末を間接活線工法的に迅速、かつ、確実に作業能率よく処理することができ、処理時における感触が手に伝わって処理状態を確実に感知することができる分岐線端末処理工具を提供するものである。この処理工具は、分岐線端末を処理するために両側一対の刃部など所要の作用体が柄を介して開閉作動自在に枢着されている工具本体と、操作レバー付きヤットコの把持片に取り付けるように前記工具本体の柄におのおの回動自在に枢着された取付部材戸より構成されているものである。
【０００４】
特許文献３（特開２０１３−１９８３３６号公報）は、重量の増大を抑えるとともに、地上から高所の対象物に対する作業を安定させ、作業効率向上を図ることのできる遠隔操作用カッターを提供するものである。この遠隔操作用カッターは、上刃側半体及び下刃側半体からなるカッター部の一対の柄部が、それぞれナット体と連結部とに回動可能に連結されており、ネジ軸とナット体からなる送りねじ機構により開閉動作するものである。カッター部の両側にはフック部が上刃側半体と一体動可能に取付られている。このフック部には電線当接部、上側ガイド部及び下側ガイド部により切欠きが形成されている。上側ガイド部は、側面視でカッター部の上刃に連続するように湾曲ラインが形成されており、電線がスムーズに刃部まで案内される。収容された電線は、内側のみに遙動可能なロック部により外方への離脱が規制される。
【先行技術文献】
【特許文献】
【０００５】
【特許文献１】特開平８−１６３７２８号公報
【特許文献２】特開２００３−２２４９１０号公報
【特許文献３】特開２０１３−１９８３３６号公報
【発明の概要】
【発明が解決しようとする課題】
【０００６】
従来、間接活性作業において、電線を切断するときには間接活線工法用油圧カッターを使用している。この油圧カッターによる電線の切断には、この油圧カッターが重たいことに起因して、電線切断時に誤って切断部位がずれてしまう恐れがあること、これによって誤った箇所を切断する恐れがあること、誤った箇所を切断したことによって保持していない電線が切断され電線が跳ねる恐れがあること、跳ねた電線が電柱や金物に接触して、地絡故障が発生する恐れがあることなどの問題点があった。また、この結果として、急な停電でお客様にご迷惑を掛けてしまうという問題点も生じる。
【０００７】
このため、作業時には、防具の取付範囲を広くする必要があること、カッターで切断する切断部の両側をトング等の保持する必要があること、両側を保持する必要があるため、保持する作業者は両手でトングを持って電線を保持しなければならないこと、正しい箇所が切断されても、片手に一本ずつを保持しているので急な跳ね上がりに対応できない場合があることなどの問題点も生じる。さらに、作業者は体力を消耗するという不具合がある。
【０００８】
上述したような不具合を解決するためには、油圧カッターによって切断箇所を確実に切断する必要があり、このためには切断時に電線をしっかりと保持する必要がある。
【０００９】
このため、本発明は、電線保持機能を備えた電線切断装置を提供することにある。
【課題を解決するための手段】
【００１０】
本発明に係る電線切断装置は、先端が二股に分割された主操作棒と、該主操作棒に対応して先端が二股に分割され、主操作棒の基端近傍で操作可能な副操作棒と、前記主操作棒の二股に分割された先端にそれぞれ設けられ、切断が所望される電線の一方の側から電線を固定する固定押さえ部と、前記副操作棒の二股に分割された先端にそれぞれ設けられ、切断が所望される電線の他方の側から電線を固定する移動押さえ部と、より構成される電線グリップ部と、前記主操作棒に回転自在に接続され、前記電線グリップ部の間に延出する油圧カッターと、前記主操作棒の基端近傍に設けられる前記油圧カッターを操作する油圧カッター駆動スイッチとを具備することを特徴としている。
【００１１】
以上の構成により、本発明に係る電線切断装置は、電線グリップ部によって電線を保持した後、油圧カッターによって電線を切断できるので、カッターの刃の滑りを防止できるとともに、切断後の電線の跳ねを防止できるため、上述した不具合を防止できるものである。
【００１２】
固定押さえ部は、二股に分かれて間に間隙が形成され、移動押さえ部は、一本形状に形成され、前記固定押さえ部の間隙に挿通可能に形成されているようにしてもよい。
これにより、より確実に電線を保持することができ、電線がずれることを防止することが可能となる。
【００１３】
油圧カッターは、主操作棒に回転自在に接続されているようにしてもよい。
油圧カッターは、主操作棒に回転自在に接続されていることにより、自由な角度で電線を切断することが可能となる。
【００１４】
また、油圧カッターは、菊座アダプターを介して主操作棒に取付られることが望ましい。
これによって、油圧カッターの角度を自由に設定できるものである。
【発明の効果】
【００１５】
この発明によれば、油圧カッターによって電線を切断する前に、切断箇所の両側を電線グリップ部で保持できるため、電線がずれることを防止し確実に所望の切断箇所を切断することができる。
また、切断後においても電線が保持された状態を維持できるため、切断後の電線の跳ねを防止でき、作業の安全性を確保することができる。このため、ヒューマンレラーによる不要な停電事故の発生を未然に防ぐことができるため、お客様サービスの向上を図ることが可能となる。
さらに、１回の電線へのアプローチで、電線の保持及び切断を行うことができるため、充電部の不要なアプローチが減らすことができ、作業時間の短縮と作業者の疲労を軽減することが可能となる。
【図面の簡単な説明】
【００１６】
【図１】図１は、本発明に係る電線切断装置の全体構成図である。
【図２】図２は、本発明に係る電線切断装置の一部拡大説明図である。
【図３】図３は、本発明に係る電線切断装置の主操作棒及び副操作棒の先端を拡大した拡大斜視図である。
【発明を実施するための形態】
【００１７】
以下、この発明の実施例について図面により説明する。
【実施例】
【００１８】
本発明に係る電線切断装置１は、図１及び図２に示されるように、主操作棒２と、主操作棒の基端近傍で操作可能な副操作棒３と、主操作棒２及び副操作棒３の先端に形成された電線グリップ部７と、主操作棒２に回転自在に接続された油圧カッター８と、を有して構成されている。
【００１９】
主操作棒２は、所定の長さを有する円筒状のロッドに形成されるもので、二股に分割して形成された先端部２１と、作業者が把持可能に形成された基端部２２と、先端部２１と基端部２２との中間に形成される中間部２３とから構成されている。
【００２０】
先端部２１は、主操作棒２の先端から電線の施設方向に沿って左右に延出するアーム部２４と、このアーム部２４の両端部にそれぞれ設けられ主操作棒２の軸方向に沿って延設された固定押さえ部２５と、から構成されている。
【００２１】
固定押さえ部２５は、切断が所望される電線４の一方の側から電線４を固定するもので、二股に分かれて間に間隙２６が形成され、挟持方向の内側には溝が形成されている。
【００２２】
中間部２３には、略円錐台状に形成された雨切りツバ２０ａが先端側に、限界ツバ２０ｂが基端側に、それぞれ上下に分かれて設けられている。雨切ツバ２０ａと限界ツバとは、絶縁性のゴムで形成され、特に限界ツバ２０ｂは、赤色等に着色されていることが望ましい。
【００２３】
基端部２２には、油圧カッター８を操作する油圧カッター駆動スイッチ９と、主操作棒２に支持金具２７を介して固定される操作部２８と、種々の間接活線工具と接続する接続部２９とが設けられている。
【００２４】
油圧カッター駆動スイッチ９は、油圧カッター８に信号を送信することで、油圧カッター８の稼働を制御するもので、ＯＮ又はＯＦＦの切り替えが可能に押しボタン９１が設けられている。
【００２５】
操作部２８は、主操作棒２の基端部２２に取り付けられる支持金具２７と、この支持金具２７に設けられた回動軸に一端が回動自在に軸支された把持レバー２８ａと、この把持レバー２８ａの回動中心と同軸になるように支持金具２７に一端側が回動自在に軸支されると共に他端側が回動軸２８ｂを介して相対回転可能に副操作棒３の基端部に連結された連結レバー２８ｃと、支持金具２７の回動軸２８ｄに配されて把持レバー２８ａの回動を連結レバー２８ｃに伝達すると共に把持レバー２８ａを回動軸２８ｄを中心として主操作棒２から離反させる方向へ付勢し、また、副操作棒３の先端を固定押さえ部２５側へ付勢する図示しないバネ部材と、把持レバー２８ａを所定位置に固定するロック機構２８ｅと、このロック機構２８ｅによるロックを解除する解除レバー２８ｆと、により構成されている。
【００２６】
副操作棒３は、所定の長さを有する円筒状のロッドに形成されるもので、二股に分割して形成された先端部３１と、操作部２８に接続される基端部３２と、先端部３１と基端部３２との中間に形成される中間部３３とから構成されている。
【００２７】
先端部３１は、副操作棒３の先端から電線の施設方向に沿って左右に延出するアーム部３４と、このアーム部３４の両端部にそれぞれ設けられ主操作棒２の軸方向に沿って延設された移動押さえ部３５と、から構成されている。
【００２８】
移動押さえ部３５は、切断が所望される電線４の他方の側から電線４を固定するもので、一本形状に形成され、固定押さえ部２５の間隙２６に挿通可能に形成されている。
なお、これらアーム部３４と、移動押さえ部３５とは、主操作棒２のアーム部２４と、固定押さえ部２５と対応して形成される。
【００２９】
中間部３３には、略円錐台状に形成された雨切りツバ２０ａが設けられる。この雨切ツバは、主操作棒２と同様に、絶縁性のゴムで形成されていることが望ましい。
【００３０】
基端部３２には、操作部２８と係合する係合部が設けられている。
【００３１】
したがって、上述した固定押さえ部２５と、移動押さえ部３５と、により電線グリップ部７が構成され、アーム部２４，３４の両端にそれぞれ設けられている。
【００３２】
油圧カッター８は、電線４を切断する一対の刃を有する本体部８１と、本体部８１の角度を調整する角度調整部８２と、主操作棒２の先端部２１に取り付ける取付部８３と、を有して構成されている。
【００３３】
本体部８１は、一対の刃体８４，８５をそれぞれの基端部で一対の支持板８１ａに支持された支持軸８１ｂに相対回転可能に取り付け、この一対の刃体８４，８５を油圧を利用して図示しない圧縮機構により開閉動作させるようにしている。この本体部８１の基端には、油圧ホース８６が接続され、この油圧ホース８６の基端は、図示しない油圧ポンプに接続されるようになっている。本体部８１は、油圧ポンプから油圧ホース８６を介して供給される圧送油により、図示しない圧縮機構により一対の刃体８４，８５を閉じるようになっている。
【００３４】
角度調整部８２は、本体部８１の基端に設けられた菊座アダプター８２ａと、この菊座アダプター８２ａと嵌合するカバー部８２ｂと、菊座アダプター８２ａとカバー部８２ｂとを固定する蝶ネジ８２ｃとから構成されている。したがって、角度調整部８２を調整することにより、本体部８１を２つの電線グリップ部７の間に延出させることができる。
【００３５】
取付部８３は、主操作棒２の先端部２１から外方に向かって突出形成されたもので、ナットにより主操作棒２の先端部２１に固定されている。
したがって、油圧カッター８は、菊座アダプター８２ａを介して主操作棒２に回転自在に固定されている。
【００３６】
以上で説明した電線切断装置１を用いて電線４を切断する作業について説明すると、先ず、油圧カッター駆動スイッチ９をＯＦＦであることを確認して油圧カッター８の一対の刃体８４，８５を開いた状態にしておく。
【００３７】
電線４の所望の切断位置に合わせ、油圧カッターの本体部８１の角度を角度調整部８２で調整した後、主操作棒２の操作部２８の把持レバー２８ａを操作して電線グリップ部７で電線４を把持する。
すなわち、把持レバー２８ａを握ることによって移動押さえ部３５が固定押さえ部２５側に近接するように移動するので、電線４を保持することができる。
【００３８】
この保持状態を、操作部２８のロック機構２８ｅによって固定し、油圧カッター駆動スイッチ９をＯＮにして電線４を切断する。
電線４を切断した後は、油圧カッター駆動スイッチ９をＯＦＦにして一対の刃体８４，８５を開いた状態にし、解除レバー２８ｆによってロック機構２８ｅを解除する。把持レバー２８ａを離し、電線グリップ部７の保持状態を解除する。
【００３９】
以上、本発明の電線切断装置によれば、電線グリップ部７によって電線４を保持した後に、電線４を切断することができるため、所望箇所を確実に切断することができる。
また、電線４を電線グリップ部７で保持していることから、切断後の電線４の跳ねを防止できる。
操作部２８の把持レバー２８ａを操作することにより、移動押さえ部３５が固定押さえ部２５側に近接するため、電線４を２箇所で保持が可能となる。
【符号の説明】
【００４０】
１  電線切断装置
２  主操作棒
３  副操作棒
４  電線
２５  固定押さえ部
３５  移動押さえ部
７  電線グリップ部
８  油圧カッター
８２ａ  菊座アダプター
９  油圧カッター駆動スイッチ
【図１】
2017028925.tif 000003
【図２】
2017028925.tif 000004
【図３】
2017028925.tif 000005